【手続補正書】
【提出日】平成16年4月18日(2004.4.18)
【手続補正１】
【補正対象書類名】明細書
【補正対象項目名】発明の名称
【補正方法】変更
【補正の内容】
【発明の名称】未来型シートベルト，テオリーくん７０号  未来型シートベルト，テオリーくん７１号  未来型シートベルト，テオリーくん７２号  未来型シートベルト，テオリーくん７３号  未来型シートベルト，テオリーくん７４号  未来型シートベルト，テオリーくん７５号
【手続補正２】
【補正対象書類名】明細書
【補正対象項目名】図面の簡単な説明
【補正方法】変更
【補正の内容】
【図面の簡単な説明】【図１】未来型シートベルト，テオリーくん７０号，（以後，通称テオリーくん７０号シートベルト，略称）図【００３９】【図２】テオリーくん７０号シートベルトをたたみ込んだ車両の座席シート（理想図）図。【００４０】【図３】テオリーくん７０号シートベルトの内部構造図。シートベルトセット前。【００４１】【図４】テオリーくん７０号シートベルトの内部構造図。シートベルトセット図。【００４２】【図５】有事衝撃，被災時，座席背もたれ部に内蔵される，肩当てと連結する強靭な鉄板部が，油，空気圧貯蔵槽を衝撃力で圧追し，これを押し潰し，油，空気圧を流動管伝いに流出させ，二重がさねの防災パットを肩当て，腰ベルトから突出させる仕組を示した図。【００４３】【図６】〔図５〕の説明と同意義の為，省略。【００４４】【図７】前方において，強大な衝撃力を被災した際，肩当て，腰ベルト内蔵，第二次パット内が突出し，人体上下半身をしっかりと固定する事を示す図だが，第二次パット内に流出した油，空気の逆戻りを防ぐ為，逆戻止め弁１２を，それぞれの部所に内蔵させた図。【００４５】【図８】〔図７〕の説明と同意議の為，省略。【００４６】【図９】未来型シートベルト，テオリーくん７１号（以後，テオリーくん７１号シートベルトと略称）図【００４７】【図１０】テオリーくん７１号，シートベルト装着図。【００４８】【図１１】テオリーくん７１号，シートベルト装着時，強大前方衝撃被災時に働らく機械構造図。【００４９】【図１２】強大横衝撃力被災時，横，ななめ頭部，ハンドル，ドア等，衝突防止機械，機能図。【００５０】【図１３】氷割実験の元。衝撃破壊力は，小面積にある直角三角形では拡大する実験図。【００５１】【図１４】氷割実験の元，衝撃破壊力は，直角三角形の２倍面積を持つ平方形で縮小する図。【００５２】【図１５】支持棒関接付，テオリーくん７１号未来型シートベルト図。【００５３】【図１６】横衝突被災時，人身，頭部を保護する装置付，「未来型シートベルト，テオリーくん７２号解体図。【００５４】【図１７】未来型シートベルト，テオリーくん７２号型の横衝突被災時の図【００５５】【図１８】未来型シートベルト，テオリーくん７３号型のななめ衝突被災時の使用図。【００５６】【図１９】未来型シートベルトテオリーくん７４号型収納図。【００５７】【図２０】未来型シートベルトテオリーくん７４号，横衝突被災時の使用図。【００５８】【図２１】未来型シートベルトテオリーくん７４号，着席使用図。【００５９】【図２２】未来型シートベルトテオリーくん７４号，機械的内面図。【００６０】【図２３】車両のバンパー内に設置された徴衝撃センサーの稼動により，バンパー内に設置された真空バッグ止栓が外れ，力学能力の元に車内にあるテオリーくん７５号型シートベルトの肩当，腰ベルトが飛び出した図。【００６１】【図２４】車両における前方本衝撃被災時に，テオリーくん７５号型，座席シート内に内蔵されている，内パット，エアーバッグが飛び出し，被災人体を座席シートに固定している事を示した図。【００６２】【図２５】〔図２４〕の説明と同じ。【手続補正３】
【補正対象書類名】明細書
【補正対象項目名】符号の説明
【補正方法】変更
【補正の内容】
【符号の説明】１，肩当て  ２，肩当，腰当ベルト収納器  ３，肩当収納器  ４，人の体重５，加圧盤  ６，空気，油圧貯蔵槽バッグ  ７，空気，油圧流導管８，衝撃力有事の際突出する二段層腰当  ９，二段折収納型肩当て１０，油圧油，空気流動遮断管（ストッパー）  １１，ストッパーのスイッチ１２，衝撃力有事の際突出する二段層肩当  １３，衝撃力有事の際，肩当が前進し，座席シート背もたれ部内に内蔵されている空気，油圧槽バッグを衝撃力で押し潰し，貯槽内の油，空気を輸送管に流動させ，肩当てと，腰ベルトに内蔵されている衝撃力吸収パットを突出させ人体をシートに固定させ，危険からこれを保護する。  １４，前方における強大衝撃力  １５，横方向における強大衝撃力。１６，衝撃力有事の際，突出する二段層ベルト内蔵肩当パットと腰当パット１７，衝撃力有事の際，空，油圧槽を圧縮する為の強靭な鉄板１８，反作用によって生じる衝撃力  １９，横衝撃被災時，側頭部衝突防止装置２０，衝撃力有事の際，突出する二段層内蔵肩当，腰当パットに送られた空，油圧，圧力の逆流を防止，ストップさせる，空，油圧ストックボンベ。  ２１，風船２２，横衝撃力被災時の際，肩当の途中に付けられた人体側頭部のドア部衝突防止センサー指令により，人体頭部位置を測定し，これを保護する衝突防止パット装置  ２３，旧式シートベルト２４，旧式シートベルトには，直角三角形分の力学的，衝撃力がかかる事を示した図２５，氷の上に平方形を半分にした直角三角形のベニアを乗せて，その上に人か立つと，氷が割れるだけの力学的衝撃力が働く事を示す２６，本発明品，未来型シートベルトの人体締付図２７，未来型シートベルトを人体に使用すると，旧式シートベルトを使用した１／２にある平方四辺形分の力学的衝撃力に換減される事を示す図形  ２８，肩当支持棒の関節２９，氷の上に直角三角形を二倍にした平方形のベニアを乗せて，上に人が立つと，二倍積となり，氷が割れなくなるだけの力学的衝撃力が換減される事を示す。３０，ななめ極大衝撃力  ３１，真空バッグの止栓  ３２，バンパー  ３３，前方事前衝撃力３４，バンパー内に設置された衝撃感知センサー【手続補正４】
【補正対象書類名】図面
【補正対象項目名】図１５
【補正方法】追加
【補正の内容】
【図１５】
2005231612.tif 000001
【手続補正５】
【補正対象書類名】図面
【補正対象項目名】図１６
【補正方法】追加
【補正の内容】
【図１６】
2005231612.tif 000002
【手続補正６】
【補正対象書類名】図面
【補正対象項目名】図１７
【補正方法】追加
【補正の内容】
【図１７】
2005231612.tif 000003
【手続補正７】
【補正対象書類名】図面
【補正対象項目名】図１８
【補正方法】追加
【補正の内容】
【図１８】
2005231612.tif 000004
【手続補正８】
【補正対象書類名】図面
【補正対象項目名】図１９
【補正方法】追加
【補正の内容】
【図１９】
2005231612.tif 000005
【手続補正９】
【補正対象書類名】図面
【補正対象項目名】図２０
【補正方法】追加
【補正の内容】
【図２０】
2005231612.tif 000006
【手続補正１０】
【補正対象書類名】図面
【補正対象項目名】図２１
【補正方法】追加
【補正の内容】
【図２１】
2005231612.tif 000007
【手続補正１１】
【補正対象書類名】図面
【補正対象項目名】図２２
【補正方法】追加
【補正の内容】
【図２２】
2005231612.tif 000008
【手続補正１２】
【補正対象書類名】図面
【補正対象項目名】図２３
【補正方法】追加
【補正の内容】
【図２３】
2005231612.tif 000009
【手続補正１３】
【補正対象書類名】図面
【補正対象項目名】図２４
【補正方法】追加
【補正の内容】
【図２４】
2005231612.tif 000010
【手続補正１４】
【補正対象書類名】図面
【補正対象項目名】図２５
【補正方法】追加
【補正の内容】
【図２５】
2005231612.tif 000011